(57)【特許請求の範囲】
【請求項１】
複数の漢字のフォントデータを記憶するフォント記憶手段を内蔵する文字処理装置であって、
フォントデータとして記憶された漢字の部首検索のために選択可能な候補部首を表示する候補部首表示手段と、
表示された前記候補部首から検索部首を選択する検索部首選択手段と、
選択された前記検索部首による部首検索を行ってその検索結果の漢字を表示する検索結果表示手段と、
を備え、
前記候補部首表示手段は、表示すべき候補部首に予め対応づけられた同形の漢字のフォントデータを前記候補部首の画像として展開して表示する同形漢字部首表示手段を有することを特徴とする文字処理装置。
【請求項２】
複数の漢字のフォントデータを記憶するフォント記憶手段を内蔵する文字処理装置であって、
フォントデータとして記憶された漢字の部首検索のために選択可能な候補部首を表示する候補部首表示手段と、
表示された前記候補部首から検索部首を選択する検索部首選択手段と、
選択された前記検索部首による部首検索を行ってその検索結果の漢字を表示する検索結果表示手段と、
を備え、
前記候補部首表示手段は、表示すべき候補部首に予め対応づけられ且つ予め抽出部分が定められた漢字のフォントデータを画像に展開して前記抽出部分の画像を抽出して前記候補部首の画像として表示する一部抽出部首表示手段を有することを特徴とする文字処理装置。
【請求項３】
複数の漢字のフォントデータを記憶するフォント記憶手段を内蔵する文字処理装置であって、
フォントデータとして記憶された漢字の部首検索のために選択可能な候補部首を表示する候補部首表示手段と、
表示された前記候補部首から検索部首を選択する検索部首選択手段と、
選択された前記検索部首による部首検索を行ってその検索結果の漢字を表示する検索結果表示手段と、
を備え、
前記候補部首表示手段は、表示すべき候補部首に予め対応づけられ且つ予め変形方法が定められた漢字のフォントデータを画像に展開して前記変形方法に従って変形して前記候補部首の画像として表示する漢字変形部首表示手段を有することを特徴とする文字処理装置。
【請求項４】
前記候補部首表示手段は、表示する部首の画数を指定する部首画数指定手段を有して、指定された画数の候補部首のみを表示することを特徴とする、請求項１ないし３のいずれかに記載の文字処理装置。
【請求項５】
内蔵の記憶手段内にフォントデータとして記憶された複数の漢字を検索対象として、部首検索のために選択可能な候補部首を表示し、その中から選択された検索部首により部首検索をして、検索結果の漢字を表示する文字処理装置の文字処理方法であって、
表示すべき候補部首に予め対応づけられた漢字のフォントデータを画像に展開して、その展開画像をそのまま、または前記展開画像の一部を抽出して、または前記展開画像を変形して、前記候補部首の画像として表示することを特徴とする文字処理装置の文字処理方法。
【発明の詳細な説明】
【０００１】
【発明の属する技術分野】
本発明は、漢字を部首検索して表示可能な文字処理装置および文字処理装置の文字処理方法に関する。
【０００２】
【従来の技術】
いわゆる漢字の部首引き（部首検索）が可能な従来の文字処理装置（ワープロ等）では、通常、一般の漢字用のフォントデータ以外に、部首検索用に（すなわち部首引きの選択操作のための表示用に）別のフォントデータを用意（記憶）しておき、部首検索の際には、その部首を画像展開して表示する。
【０００３】
【発明が解決しようとする課題】
すなわち、部首検索される漢字用のフォントデータ以外に、部首検索のための部首表示用のフォントデータの分の記憶容量を要する。
【０００４】
そこで、本発明は、部首表示用に格別のフォントデータを記憶することなく、漢字の部首検索のための部首を表示可能とし、その分の記憶容量を節約できる文字処理装置および文字処理装置の文字処理方法を提供することを目的とする。
【０００５】
【課題を解決するための手段】
本発明の第１の文字処理装置は、複数の漢字のフォントデータを記憶するフォント記憶手段を内蔵する文字処理装置であって、フォントデータとして記憶された漢字の部首検索のために選択可能な候補部首を表示する候補部首表示手段と、表示された前記候補部首から検索部首を選択する検索部首選択手段と、選択された前記検索部首による部首検索を行ってその検索結果の漢字を表示する検索結果表示手段と、を備え、前記候補部首表示手段は、表示すべき候補部首に予め対応づけられた同形の漢字のフォントデータを前記候補部首の画像として展開して表示する同形漢字部首表示手段を有することを特徴とする。
【０００６】
この文字処理装置では、漢字の部首検索のために選択可能な候補部首を表示し、表示された候補部首から検索部首を選択し、選択された検索部首による部首検索を行って、その検索結果の漢字を表示できるが、表示すべき候補部首に予め対応づけられた同形の漢字のフォントデータを候補部首の画像として展開して表示することにより、同形の漢字が存在する部首については、部首表示用に格別のフォントデータを用意する必要がなく、その分の記憶容量を節約できる。
【０００７】
また、本発明の第２の文字処理装置は、複数の漢字のフォントデータを記憶するフォント記憶手段を内蔵する文字処理装置であって、フォントデータとして記憶された漢字の部首検索のために選択可能な候補部首を表示する候補部首表示手段と、表示された前記候補部首から検索部首を選択する検索部首選択手段と、選択された前記検索部首による部首検索を行ってその検索結果の漢字を表示する検索結果表示手段と、を備え、前記候補部首表示手段は、表示すべき候補部首に予め対応づけられ且つ予め抽出部分が定められた漢字のフォントデータを画像に展開して前記抽出部分の画像を抽出して前記候補部首の画像として表示する一部抽出部首表示手段を有することを特徴とする。
【０００８】
この文字処理装置では、部首検索の候補部首を表示し、候補部首から検索部首を選択し、検索部首による部首検索を行って、その検索結果の漢字を表示できるが、表示すべき候補部首に予め対応づけられ且つ予め抽出部分が定められた漢字のフォントデータを画像に展開して抽出部分の画像を抽出して候補部首の画像として表示する。このため、表示すべき候補部首を一部に含む漢字が存在する場合、部首表示用に格別のフォントデータを用意する必要がなく、その分の記憶容量を節約できる。
【０００９】
また、本発明の第３の文字処理装置は、複数の漢字のフォントデータを記憶するフォント記憶手段を内蔵する文字処理装置であって、フォントデータとして記憶された漢字の部首検索のために選択可能な候補部首を表示する候補部首表示手段と、表示された前記候補部首から検索部首を選択する検索部首選択手段と、選択された前記検索部首による部首検索を行ってその検索結果の漢字を表示する検索結果表示手段と、を備え、前記候補部首表示手段は、表示すべき候補部首に予め対応づけられ且つ予め変形方法が定められた漢字のフォントデータを画像に展開して前記変形方法に従って変形して前記候補部首の画像として表示する漢字変形部首表示手段を有することを特徴とする。
【００１０】
この文字処理装置では、部首検索の候補部首を表示し、候補部首から検索部首を選択し、検索部首による部首検索を行って、その検索結果の漢字を表示できるが、表示すべき候補部首に予め対応づけられ且つ予め変形方法が定められた漢字のフォントデータを画像に展開して前記変形方法に従って変形して前記候補部首の画像として表示する。このため、表示すべき候補部首に変形可能な類似形の漢字が存在する場合、部首表示用に格別のフォントデータを用意する必要がなく、その分の記憶容量を節約できる。
【００１１】
また、本発明の文字処理装置の文字処理方法は、内蔵の記憶手段内にフォントデータとして記憶された複数の漢字を検索対象として、部首検索のために選択可能な候補部首を表示し、その中から選択された検索部首により部首検索をして、検索結果の漢字を表示する文字処理装置の文字処理方法であって、表示すべき候補部首に予め対応づけられた漢字のフォントデータを画像に展開して、その展開画像をそのまま、または前記展開画像の一部を抽出して、または前記展開画像を変形して、前記候補部首の画像として表示することを特徴とする。
【００１２】
この文字処理方法は、記憶された複数の漢字を検索対象として、部首検索のために選択可能な候補部首を表示し、その中から検索部首を選択し、選択された検索部首により部首検索をして、検索結果の漢字を表示できるが、表示すべき候補部首に予め対応づけられた漢字のフォントデータを画像に展開して、その展開画像をそのまま、または展開画像の一部を抽出して、または展開画像を変形して、候補部首の画像として表示するので、同形の漢字が存在する部首については、または表示すべき候補部首を一部に含む漢字が存在する場合、または表示すべき候補部首に変形可能な類似形の漢字が存在する場合、部首表示用に格別のフォントデータを用意する必要がなく、その分の記憶容量を節約できる。
【００１３】
また、上述した各文字処理装置において、前記候補部首表示手段は、表示する部首の画数を指定する部首画数指定手段を有して、指定された画数の候補部首のみを表示することが好ましい。
【００１４】
この文字処理装置では、表示する部首の画数を指定する部首画数指定手段を有して、指定された画数の候補部首のみを表示するので、部首の画数の指定により、候補部首を絞ることができ、検索部首をさらに容易に選択できる。
【００１７】
【発明の実施の形態】
以下、本発明の一実施形態に係るテープ印刷装置について、添付図面を参照しながら詳細に説明する。図１は、テープ印刷装置の制御系のブロック図である。このテープ印刷装置１は、キー入力した所望の文字などに基づいて作成した印刷画像を、テープＴにサーマル方式でカラー印刷すると共に、このテープＴの印刷部分を切断してラベルを作成するものである。
【００１８】
テープＴは、基材テープと粘着層と剥離紙テープとで構成され、基材テープは、紙やコート層を有する紙、あるいはコート層を有するフィルム等のインクを十分吸収できる素材で構成される。粘着層は、ファイルなどの貼付対象物に貼り付けるためのものであり、剥離紙テープは、粘着層にゴミなどが付着するのを防止するためのものである。テープＴには、テープ幅４．５mm〜４８mm程度の各種のものが用意され、テープカートリッジＣに収容された状態で提供され、テープ幅に応じて幅方向２４ドット〜１０２４ドット程度の解像度の印刷画像が印刷される。
【００１９】
図１に示すように、テープ印刷装置１は、基本的な構成として、キーボード３やディスプレイ４を有してユーザとのインタフェースを行う操作部１１と、サーマル方式の印刷ヘッド７によりテープカートリッジＣのテープＴに印刷を行う印刷部１２と、印刷後のテープＴの切断を行う切断部１３と、各種センサを有して各種検出を行う検出部１４と、各種ドライバを有して各部回路を駆動する駆動部２７０と、外部メモリ（ファイルパック）を着脱可能な外部メモリ装着部２８０と、電源部２９０と、テープ印刷装置１内の各部を制御する制御部２００と、を備えている。
【００２０】
このため、装置内部には、印刷部１２、切断部１３、検出部１４、外部メモリ装着部２８０などの他、図外の回路基板が収納されている。この回路基板には、電源部２９０の他、駆動部２７０や制御部２００の各回路などが搭載されている。電源部２９０の電源ユニットは、ＡＣアダプタ接続口や外部から着脱可能なニッカド電池等の電池に接続され、テープ印刷装置１内の各部に電力を供給する。
【００２１】
詳細な図示はしないが、まず、印刷部１２では、テープカートリッジＣは、カートリッジケースの内部にテープＴとインクリボンＲとを収容して構成されており、印刷部１２のポケットに配設されたヘッドユニットに内蔵された印刷ヘッド（サーマルヘッド）７に対応して装着される。また、テープカートリッジＣには、内蔵するテープＴの相異なる幅等の種別を識別できるように、裏面に小さな複数の孔が設けられている。
【００２２】
また、上記のポケットには、この孔の有無を検出するマイクロスイッチなどのテープ識別センサと、環境（周囲）温度を検出して報告するサーミスタなどの周囲温度センサと、印刷ヘッド７の表面に密着してサーミスタなどのヘッド表面温度センサが設けられている。また、印刷部１２のテープ送り部は、上記のポケットの側方に配設したテープフィードモータ（ＴＦモータ）を動力（駆動）源としていて、ポケットには、さらにＴＦモータ（ＤＣモータ）の回転数を検出するためのエンコーダを有する回転速度センサが設けられている。
【００２３】
図１では、制御系の説明の便宜上、検出部１４が、上述したテープ識別センサ、周囲温度センサ、ヘッド表面温度センサ、および回転速度センサを備えているものとしている。ここで、検出部１４は、これらのセンサにより検出した各種検出信号を制御部２００に報告する。
【００２４】
次に、切断部１３は、送りだしたテープＴを切断するテープカッタとそれを切断動作させるカッタモータとを備えている。装置ケースには、ポケットと装置外部とを連通するテープ排出口が形成され、テープ排出口には、上記のテープカッタが臨んでいる。
【００２５】
テープ印刷装置１では、ユーザは、印刷部１２のポケットにテープカートリッジＣを装着した後、キーボード３により所望のキャラクタ（文字、数字、記号、図形等）などの印刷画像の情報を入力し、同時にディスプレイ４により入力結果を確認すると共に編集を行う。その後、キーボード３を介して印刷を指示すると、印刷部１２のテープ送り部が駆動され、テープカートリッジＣからテープＴを繰り出すと同時に、印刷ヘッド７が駆動して、テープＴに所望の印刷を行う。テープＴの印刷済み部分は、印刷動作に並行してテープ排出口から随時外部に送り出され、余白分を含むテープ長さに適合した所定の切断位置がテープカッタの位置まで送られて、カットされる。
【００２６】
駆動部２７０は、ディスプレイドライバ、ヘッドドライバ、モータドライバを備え、ディスプレイドライバは、制御部２００から出力される制御信号に基づき、その指示に従って、操作部１１のディスプレイ４を駆動する。同様に、ヘッドドライバは、印刷ヘッド７を駆動し、モータドライバは、印刷部１２のＴＦモータを駆動するＴＦモータドライバと、切断部１３のカッタモータを駆動するカッタモータドライバとを有して、各モータを駆動する。
【００２７】
次に、テープ印刷装置１では、ユーザは、ＲＡＭ２４０の補助記憶として、文書ファイル等を多数記憶可能な外部メモリ（以下「ファイルパック」）２８１を着脱自在に装着できるようになっている。このファイルパック２８１は、ＳＲＡＭを１つまたは複数（例えば２個）搭載して構成され、テープ印刷装置１から外しても記憶したデータを保持しておくように電池等によりバックアップされている。また、外部メモリ装着部２８０のポケットにファイルパック２８１を装着すると、ユーザからはＲＡＭ２４０の記憶領域の一部（例えば１つのディレクトリ等）に見えるように機能し、制御処理の作業領域として使用される。
【００２８】
また、操作部１１は、キーボード３とディスプレイ４とを備えている。ディスプレイ４は、横方向（Ｘ方向）約８cm×縦方向（Ｙ方向）４cmの長方形の形状の内側に、例えば１９８ドット×６４ドットの表示画像データを表示可能な表示画面４１を有し、文字、数字、記号、簡易図形等のキャラクタ（以下、これらを代表して「文字」といい、キャラクタの意味で使用）を配置した文字列画像やそれを含む印刷画像を表現するマトリクスデータを作成・編集したり、その結果等を視認したり、キーボード３から各種指令・選択指示等を入力したりする際などに用いられる。
【００２９】
キーボード３には、（いずれも図示しない）アルファベットキー群、記号キー群、数字キー群、平仮名や片仮名等の仮名キー群、および外字を呼び出して選択するための外字キー群等を含む文字キー群３１の他、各種の動作モードなどを指定するための機能キー群３２などが配列されている。
【００３０】
機能キー群３２には、図外の電源キー、印刷動作を指示するための印刷キー３２２、テキスト入力時のデータ確定や改行および選択画面における各種モードの選択指示のための選択キー３２３、並びに、それぞれ上（「↑」）、下（「↓」）、左（「←」）、右（「→」）方向へのカーソル移動や表示画面４１の表示範囲を移動させるための４個のカーソルキー３３０（３３０Ｕ、３３０Ｄ、３３０Ｌ、３３０Ｒ：以下「カーソル「↑」キー３３０Ｕ」などという。ただし、代表して表現するときは「カーソルキー３３０」という。）が含まれる。
【００３１】
機能キー群３２には、さらに、未確定文字や確定済みの１文字を削除でき且つ全文消去を指示可能な削除キー３２５、各種指示を取り消すための取消キー３２６などの他、後述の漢字変換指示の変換キー３３６、無変換指示の無変換キー３３７、漢字検索キー３４０、漢字変換キー３４１などが含まれる。
【００３２】
図１に示すように、キーボード３は、上述のような種々の指令およびデータを制御部２００に入力する。制御部２００は、ＣＰＵ２１０、ＲＯＭ２２０、キャラクタジェネレータＲＯＭ（ＣＧ−ＲＯＭ）２３０、ＲＡＭ２４０、入出力制御回路（ＩＯＣ）２５０を備え、互いに内部バス２６０により接続されている。
【００３３】
ＲＯＭ２２０は、ＣＰＵ２１０で処理する制御プログラムを記憶する制御プログラム領域２２１の他、仮名漢字変換テーブル（辞書）、色変換テーブル、文字修飾テーブルなどを含む制御データを記憶する制御データ領域２２２を有している。ＣＧ−ＲＯＭ２３０は、テープ印刷装置１に用意されている文字等のフォントデータを記憶していて、文字等を特定するコードデータが与えられたときに、対応するフォントデータを出力する。
【００３４】
ＲＡＭ２４０は、電源キーの操作により電源がオフにされても、記憶したデータを保持しておくようにバックアップされていて、各種フラグ等として使用される各種レジスタ群２４１、ユーザがキーボード３から入力した文字等のテキストデータを記憶するテキストデータ領域２４２、ディスプレイ４の表示画面の表示画像データを記憶する表示画像データ領域２４３、印刷画像データを記憶する印刷画像データ領域２４４、描画登録画像データを記憶する描画登録画像データ領域２４５、外字登録画像データを記憶する外字登録画像データ領域２４６、背景画の候補となる背景画像データや対応する文字色データを記憶する背景画像データ領域２４７、文字展開バッファ、色変換バッファ、基本色別配置バッファ、印刷バッファなどの各種バッファ領域２４８などの領域を有し、制御処理のための作業領域として使用される。
【００３５】
ＩＯＣ２５０には、ＣＰＵ２１の機能を補うとともに各種周辺回路とのインタフェース信号を取り扱うための論理回路が、ゲートアレイやカスタムＬＳＩなどにより構成されて組み込まれている。例えば、種々の計時を行うタイマなどもＩＯＣ２５０内の機能として組み込まれている。このため、ＩＯＣ２５０は、検出部１４の各種センサやキーボード３と接続され、検出部１４からの各種検出信号およびキーボード３からの各種指令や入力データなどをそのままあるいは加工して内部バス２６０に取り込むとともに、ＣＰＵ２１０と連動して、ＣＰＵ２１０等から内部バス２６０に出力されたデータや制御信号を、そのままあるいは加工して駆動部２７０に出力する。
【００３６】
また、ＩＯＣ２５０は、外部メモリ装着部２８０と接続され、ＲＡＭ２４０に対するアクセスのうち、実際にはファイルパック２８１に対するアクセスとなるデータの入出力を制御し、これにより、ファイルパック２８１を装着したときに、ユーザからは外見上（ファイル等の扱い上）、ＲＡＭ２４０を増設した（ＲＡ２４０のメモリ容量を増加させた）ように見えるように制御する。そこで、以下、特に断らない限り、ＲＡＭ２４０にはファイルパック２８１分のメモリ容量を含み、ＲＡＭ２４０内にファイルパック２８１に記憶したデータがあるものとして説明する（理解しやすいように、ファイルパック領域２４９として図示するが、実際には上記の各領域の一部または全部を分担させることもできる）。
【００３７】
そして、ＣＰＵ２１０は、上記の構成により、ＲＯＭ２２０内の制御プログラムに従って、ＩＯＣ２５０を介してテープ印刷装置１内の各部から各種信号・データ等を入力し、ＣＧ−ＲＯＭ２３０からのフォントデータ、ＲＡＭ２４０（上述のように、ファイルパック領域２４９（ファイルパック２８１分）を含む）内の各種データ等を処理し、ＩＯＣ２５０を介してテープ印刷装置１内の各部に各種信号・データ等を出力することにより、印刷の位置制御、表示画面４１の表示制御等を行うとともに、印刷ヘッド７を制御して所定の印刷条件でテープＴに印刷するなど、テープ印刷装置１全体を制御している。
【００３８】
次に、テープ印刷装置１の制御全体の処理フローについて、図２を参照して説明する。電源キーを押すこと（電源オン）により処理が開始すると、同図に示すように、まず、テープ印刷装置１を、前回の電源オフ時の状態に戻すために、退避していた各制御フラグを復旧するなどの初期設定を行い（Ｓ１）、次に、前回の表示画面を初期画面として表示する（Ｓ２）。
【００３９】
図２のその後の処理、すなわちキー入力か否かの判断分岐（Ｓ３）および各種割込処理（Ｓ４）は、概念的に示した処理である。実際には、テープ印刷装置１では、初期画面表示（Ｓ２）が終了すると、キー入力割込を許可し、キー入力割込が発生するまでは、そのままの状態を維持し（Ｓ３：Ｎｏ）、何らかのキー入力割込が発生すると（Ｓ３：Ｙｅｓ）、それぞれの割込処理に移行して（Ｓ４）、その割込処理が終了すると、再度、その状態を維持する（Ｓ３：Ｎｏ）。
【００４０】
上述のように、テープ印刷装置１では、主な処理を割込処理により行うので、印刷画像作成などの準備ができていれば、ユーザが任意の時点で印刷キー３２２を押すことにより、印刷処理割込が発生して、印刷処理が起動され、印刷画像データに基づいて印刷画像の印刷ができる。すなわち、印刷に至るまでの操作手順は、ユーザが任意に選択できる。
【００４１】
例えば図３に示すように、１行目の文字（キャラクタ）列「あいう」を入力後のテキスト編集画面表示の状態で（画面Ｔ１０：以下、ディスプレイ４の表示画面４１の表示状態を画面Ｔ××で表現し、参照番号としてはＴ××のみで示す。また、カーソル位置はカーソルＫで図示する。また、ＺｍはカーソルＫ直前の２文字分をズーム（拡大表示）したものである。）、ユーザにより印刷キー３２２が押されると、「印刷中」のメッセージの表示とともに文字列「あいう」の文字列画像を印刷画像として印刷し（Ｔ１１）、印刷が終了すると、元のテキスト編集画面に戻る（Ｔ１２：Ｔ１０と同じ）。この種の処理は従来と同様なので、詳細な説明は省略する。
【００４２】
ところで、テープ印刷装置１では、漢字を入力する際に、その漢字を部首により検索できるようになっているので、以下、その点について説明する。
【００４３】
まず、図４に示すように、図３で上述と同様のテキスト編集画面を表示した状態で（Ｔ１０）、ユーザにより漢字検索キー３４０が押されると（操作されると）、同図に示すように、漢字検索をするための第１階層（図５参照）の選択画面を表示する（Ｔ２０）。なお、ユーザは、キー入力による各種指示を取消キー３２６により取り消すことができ、この第１階層の状態（Ｔ２０）から取消キー３２６を押すことにより、元のテキスト編集画面表示（Ｔ１０）に戻すことができる（このほか、例えば漢字検索キー３４０を再度押下すると元に戻るなど、他のキーの操作に変更またはそれらと兼用しても良いが、以下では、取消キー３２６によるものとし、また、特に断らないかぎり、その作用は同様なので、以下での説明は省略する）。
【００４４】
また、この選択画面（Ｔ２０）では、第１階層の選択肢として、従来からと同様の「コード入力」も可能であり、ユーザはこれらの選択肢のうちのいずれかを、カーソルキー３３０を操作して反転表示させ、選択キー３２３を押すことにより、反転表示された選択肢を選択・指定できる（この意味で以下「選択表示」という）。ここでは、「部首検索」が選択（選択表示）されて、選択キー３２３が押されると、「部首検索」の下位の「部首画数」の入力画面（第２階層：図５参照）に遷移する（Ｔ２１）。この状態から（Ｔ２１）、例えば画数「５」が入力されると（Ｔ２２）、５画の部首選択の画面（第３階層：図５参照）を表示する（Ｔ２３）。
【００４５】
ユーザは、この状態から（Ｔ２３）、カーソル「↓」キー３３０Ｄまたはカーソル「→」キー３３０Ｒまたは変換キー３３６（以下略して、カーソルキー３３０ＤＲといい、同図に示すように右下向きの黒三角表示のキーで図示する）を操作して、順次、次の候補を表示して（カーソルＫの位置の候補を）指定でき、逆に、カーソル「↑」キー３３０Ｕまたはカーソル「←」キー３３０Ｌまたは無変換キー３３７（以下略して、カーソルキー３３０ＵＬといい、左上向きの黒三角表示のキーで図示する）を操作して、逆順に候補を表示して指定できる。
【００４６】
なお、上述の状態から（Ｔ２１）、２桁の画数、例えば画数「１２」も入力でき（Ｔ２５〜Ｔ２６）、次に、１２画の部首を表示して選択可能とするが、３桁目（例えば「３」）が入力されたとき（すなわち例えば「１２３」が入力されたとき）には、弱い警告（あるいはエラー表示）によりその旨を報知した後、表示をクリアする。
【００４７】
ここでは、５画の部首のうちの「田」が選択されたものとすると（Ｔ２４：図４と図６で共通）、図６に示すように、下位の「漢字部首  田」の画面（第４階層：図５参照）に遷移する（Ｔ３０：図７と共通）。この状態では（Ｔ３０）、直接、漢字検索に移行する「検索開始」の選択肢と、検索の対象を漢字の総画数で絞ってから検索するための「総画数」の選択肢とを選択できる。
【００４８】
ここでは、「検索開始」が選択されたとすると（Ｔ３０）、部首が「田」の（いわゆる「田の部」の）漢字の検索結果（第５階層：図５参照）を、画数順に例えば「田由甲申男……胃思毘畏界畑……」のように順次表示するので、ユーザはカーソル操作によりいずれかを選択できる（Ｔ３１〜Ｔ３２）。なお、この選択画面（Ｔ３１〜Ｔ３２）からは取消キー３２６以外にも、削除キー３２５や漢字変換キー３４１の操作により上位画面に戻せるようになっている。
【００４９】
ここでは、「畏」が選択されたとすると（Ｔ３２）、テキスト編集画面においてカーソル位置に「畏」を挿入した状態にする（Ｔ３３）。すなわち、図４および図６で上述の一連の操作により、部首引きによる所望の漢字の検索・挿入が完了して、文字列は「あいう畏」となり、カーソル直前の「う畏」が拡大表示された状態となる。
【００５０】
次に、図７に示すように、上述の「漢字部首  田」の画面（図６と共通のＴ３０：第４階層：図５参照）で、「総画数」の選択肢が選択されると（Ｔ４０）、下位の「総画数」の入力画面（第５階層：図５参照）に遷移する（Ｔ４１）。この状態から（Ｔ４１）、例えば画数「９」が入力されると（Ｔ４２）、「田の部」（部首が「田」）の９画の漢字の検索結果（第６階層：図５参照）を、例えば「胃思毘畏界畑……」のように順次表示するので、ユーザはカーソル操作によりいずれかを選択できる（Ｔ４３〜Ｔ４４）。
【００５１】
ここでは、図６の例と同様に「畏」が選択されたとすると（Ｔ４４）、テキスト編集画面においてカーソル位置に「畏」を挿入した状態にする（Ｔ４５：図６のＴ３３と同じ状態）。すなわち、図４、図６および図７で上述の一連の操作により、部首引きによる所望の漢字の検索・挿入が完了して、文字列は「あいう畏」となり、カーソル直前の「う畏」が拡大表示された状態となる。なお、上述の例の各表示画面では、「漢字検索」「部首検索」「部首選択」「漢字部首  ◆（田など）」「（検索候補漢字：田など）」などのいわばタイトルを最上行に表示して、表示画面（または表示階層）を明示したが、これらも必要に応じて、任意の仕様にできるし、例えば異なる階層のタイトルが同一でも支障はない。
【００５２】
ところで、上述の例における部首「田」は、図８に楕円で示す各所で使用され表示された（Ｔ５０〜Ｔ５５：（）内は図４、図６、図７の対応画面  ）。この「田（た）の部」（図９の部首Ｎｏ．５−８参照）の場合、漢字の「田」をそのまま部首として表示しても、イメージが把握できるので、支障がない。
【００５３】
しかし、種々の部首のなかには、図９〜図１０に示すように、例えば「なべぶたの部」（部首Ｎｏ．２−２）の「なべぶた」（図１２の「かんむり」参照）のように、通常の文字（キャラクタ）では表示できない部首も多い。
【００５４】
また、「りっしんべん」（部首Ｎｏ．３−３２）や「てへん」（部首Ｎｏ．３−３３）などは、元になる漢字の「心（こころ）」（部首Ｎｏ．４−１）や「手（て）」（部首Ｎｏ．４−４）が知られていて、漢和辞典などでは「こころ・りっしんべんの部」や「て・てへんの部」として同じ部首のグループに入れられるが、部首として表示するのであれば、部首のイメージのまま表示したい場合も多い（図１１のＴ６０参照）。
【００５５】
また、部首画数により検索範囲を絞るという意味では、漢字検索も「心（こころ）」等と同じグループとするより（同図のＴ６１）、個別に扱えるほうが好ましい（Ｔ６２〜Ｔ６３）。
【００５６】
また、「木（き）」（部首Ｎｏ．４−１５）にしても、「き」と「きへん」の部を同じ部首グループにする（Ｔ６４）ばかりでなく、同じ画数ではあっても、個別に扱える方が便利になる（Ｔ６５〜Ｔ６６）。
【００５７】
しかし、従来の部首引き（部首検索）が可能なワープロ等と同様に、一般の漢字用のフォントデータ以外に、部首検索用に（すなわち部首引きの選択操作のための表示用に）別のフォントデータを用意（記憶）するのでは、部首の種類が多いだけにその分の記憶容量が問題となる。
【００５８】
そこで、本実施形態のテープ印刷装置１では、一般の漢字用のフォントデータを流用することにより、この問題を解決している。以下、この点について、詳述する。
【００５９】
まず、前述の「田」のように、同形の漢字が存在する部首については、その漢字のフォントデータを流用する。このタイプ（タイプＡとする）では、図１３に示すように、例えば漢字の「木」（のフォントデータに基づいて展開した画像Ａ−０）を流用して、いわゆる「木の部」、すなわち「木」、「林」、「机」、「本」、……など（図１３の下欄の漢字全て）を含む「木の部」を部首検索するための部首（の画像Ａ−１）を表示できる。
【００６０】
これにより、テープ印刷装置１では、同形の漢字が存在する部首については、部首表示用に格別のフォントデータを用意する必要がなく、その分の記憶容量を節約できる。
【００６１】
一方、図１２に示す前述の「なべぶた」（「かんむり」参照）のように、同形の漢字が存在しない部首については、図示の例の「亡」のように「なべぶた」を部首とする漢字のフォントデータを展開した画像の、その部首の部分（この例では「かんむり」（斜線）の部分）を抽出して部首表示に利用する。
【００６２】
すなわち、このタイプ（タイプＢとする）では、図１３に示すように、例えば漢字の「林」（のフォントデータに基づいて展開した画像Ｂ−０）を流用し、その部首の部分（この例では「へん」の部分）を抽出して、「キヘン（の部）」、すなわち「林」、「机」、「材」、「村」、……などを含む「キヘン」の漢字を部首検索するための部首（の画像Ｂ−１）を表示できる。
【００６３】
これにより、テープ印刷装置１では、表示すべき部首を一部に含む漢字が存在する場合、部首表示用に格別のフォントデータを用意する必要がなく、その分の記憶容量を節約できる。
【００６４】
なお、この場合の「抽出」には、同図に示すように、一部を文字通り「抽出する」概念の方法（操作、処理）のほか、不要部を例えば背景色により「塗りつぶす」概念の方法（操作、処理）をも含む。
【００６５】
また、この種の抽出の代わりに、類似形の漢字を変形して流用することもできる。例えば図１３に示すように、このタイプ（タイプＣとする）では、例えば漢字の「木」（のフォントデータに基づいて展開した画像Ｃ−０）を流用し、それを横方向に縮小し（さらに少し「木」の片方の足を短くして）、上述と同様の「キヘン」の漢字を部首検索するための部首（の画像Ｃ−１）を表示できる。
【００６６】
また、このほか、部首のしての名称が無くても、図示の部首画像Ｃ−２のように（縦に縮小して）変形して、平たい「木」を含む漢字を部首検索できるようにし、その他を「木」の部首画像Ｃ−３に対応する漢字として、さらに絞った部首検索ができるようにしても良い。
【００６７】
これらにより、テープ印刷装置１では、表示すべき部首に変形可能な類似形の漢字が存在する場合、部首表示用に格別のフォントデータを用意する必要がなく、その分の記憶容量を節約できる。
【００６８】
また、上述の文字処理方法を実行するプログラムをＣＤ等を初めとする記憶媒体に記憶しておけば、それを実行可能な任意の情報処理装置（文字処理装置）に実装（装着）して、記憶されたプログラムを読み出して実行することにより、同様に、部首表示用に格別のフォントデータを記憶することなく、漢字の部首検索のための部首を表示可能とし、その分の記憶容量を節約できる。もちろん、その他、本発明の要旨を逸脱しない範囲で、適宜変更も可能である。
【００６９】
【発明の効果】
上述のように、本発明の文字処理装置および文字処理装置の文字処理方法によれば、部首表示用に格別のフォントデータを記憶することなく、漢字の部首検索のための部首を表示可能とし、その分の記憶容量を節約できる、などの効果がある。
【図面の簡単な説明】
【図１】本発明の一実施形態に係るテープ印刷装置の制御系のブロック図である。
【図２】図１のテープ印刷装置の制御全体の概念的処理を示すフローチャートである。
【図３】印刷をするときの一例を示す、表示画面およびその表示画面上での典型的な操作の説明図である。
【図４】漢字検索をするときの一例を示す、図３と同様の説明図である。
【図５】漢字検索のための画面表示の階層構成を示す説明図である。
【図６】部首を選択後、直接、検索開始を選択して漢字検索をするときの、図３と同様の説明図である。
【図７】部首を選択後、総画数を指定して検索対象を絞ってから漢字検索をするときの、図３と同様の説明図である。
【図８】部首表示の表示例を示す説明図である。
【図９】部首索引表の一例を示す説明図である。
【図１０】図９に続く、図９と同様の説明図である。
【図１１】図８とは別の部首表示の表示例を示す説明図である。
【図１２】部首抽出の抽出部の例を示す説明図である。
【図１３】一般の漢字のフォントデータを流用した部首表示の例を示す説明図である。
【符号の説明】
１      テープ印刷装置
３      キーボード
４      ディスプレイ
７      印刷ヘッド
１１    操作部
１２    印刷部
１３    切断部
１４    検出部
４１    表示画面
２００  制御部
２１０  ＣＰＵ
２２０  ＲＯＭ
２３０  キャラクタジェネレータＲＯＭ（ＣＧ−ＲＯＭ）
２４０  ＲＡＭ
２５０  入出力制御回路（ＩＯＣ）
２６０  内部バス
２７０  駆動部
２８０  外部メモリ装着部
２９０  電源部
Ｃ      テープカートリッジ
Ｔ      テープ
【図１】
0003889961.tif 000002
【図２】
0003889961.tif 000003
【図３】
0003889961.tif 000004
【図４】
0003889961.tif 000005
【図５】
0003889961.tif 000006
【図６】
0003889961.tif 000007
【図７】
0003889961.tif 000008
【図８】
0003889961.tif 000009
【図９】
0003889961.tif 000010
【図１０】
0003889961.tif 000011
【図１１】
0003889961.tif 000012
【図１２】
0003889961.tif 000013
【図１３】
0003889961.tif 000014